(57)【特許請求の範囲】
【請求項１】
一端部は無線個体識別リーダに接続され、他端部は接地される給電部と、
前記給電部から所定距離離隔し、前記給電部との電磁気的カップリングにより物品に取り付けられた無線個体識別タグと所定帯域の信号を送受信するための放射電極と、
前記給電部との電磁気的カップリングにより前記所定帯域の信号を処理するための補助電極と
を含むことを特徴とする無線個体識別リーダアンテナ。
【請求項２】
前記放射電極は、前記給電部の上部に所定距離離隔して配列される導電材料であることを特徴とする請求項１に記載の無線個体識別リーダアンテナ。
【請求項３】
前記給電部の他端部と接地間に接続され、前記無線個体識別リーダから供給された電流が前記給電部全体に円滑に流れるようにするための負荷抵抗をさらに含むことを特徴とする請求項１又は２に記載の無線個体識別リーダアンテナ。
【請求項４】
前記補助電極の一端部と接地間に接続され、インピーダンスマッチングを調節するための補助抵抗をさらに含むことを特徴とする請求項１又は２に記載の無線個体識別リーダアンテナ。
【請求項５】
前記補助電極は、前記給電部と同一平面上に所定距離離隔して配列されることを特徴とする請求項４に記載の無線個体識別リーダアンテナ。
【請求項６】
前記補助電極は、前記給電部と同一平面上に平行に配列されることを特徴とする請求項４に記載の無線個体識別リーダアンテナ。
【請求項７】
前記所定帯域は、極超短波帯域であることを特徴とする請求項１又は２に記載の無線個体識別リーダアンテナ。
【請求項８】
前記放射電極は、メアンダ形状に形成されることを特徴とする請求項１又は２に記載の無線個体識別リーダアンテナ。
【請求項９】
前記給電部は、物品を載せるための棚に形成されることを特徴とする請求項１又は２に記載の無線個体識別リーダアンテナ。
【請求項１０】
物品を載せるための少なくとも１つの棚と、
前記棚に形成され、一端が無線個体識別リーダに接続され、他端が接地される給電部と、前記給電部から所定距離離隔し、前記給電部とカップリングにより前記物品に取り付けられた無線個体識別タグと所定帯域の信号を送受信するための放射電極と、前記給電部とカップリングにより前記所定帯域の信号を処理するための補助電極とを有する少なくとも１つの無線個体識別リーダアンテナと、
前記無線個体識別リーダアンテナを介して前記物品に取り付けられた無線個体識別タグから情報を受信する無線個体識別リーダと
を含むことを特徴とする物品管理装置。
【請求項１１】
前記放射電極は、前記給電部の上部に所定距離離隔して配列される導電材料であることを特徴とする請求項１０に記載の物品管理装置。
【請求項１２】
前記物品管理装置は、複数の無線個体識別リーダアンテナを備え、
前記複数の無線個体識別リーダアンテナは、前記無線個体識別リーダに順次接続されるようにスイッチングするスイッチ部をさらに含むことを特徴とする請求項１０又は１１に記載の物品管理装置。
【請求項１３】
前記無線個体識別リーダアンテナは、
前記給電部の他端と接地間に接続され、前記無線個体識別リーダから供給された電流が前記給電部の全体に円滑に流れるようにするための負荷抵抗と、
前記補助電極と前記接地間に接続されてインピーダンスマッチングを調節するための補助抵抗とをさらに含み、
前記補助電極は、前記給電部と同一平面上で所定距離離隔して配列されることを特徴とする請求項１０又は１１に記載の物品管理装置。
【請求項１４】
前記補助電極は、前記給電部と同一平面上に平行に配列されることを特徴とする請求項１３に記載の物品管理装置。
【請求項１５】
前記所定帯域は、極超短波帯域であることを特徴とする請求項１３に記載の物品管理装置。
【発明の詳細な説明】
【技術分野】
【０００１】
本発明は、無線個体識別（Radio Frequency Identification：ＲＦＩＤ）リーダアンテナ及びそれを利用した物品管理装置に関し、より詳しくは、極超短波（ＵＨＦ）帯域の信号を用いた棚用ＲＦＩＤアンテナ及びそれを利用した物品管理装置に関する。
【背景技術】
【０００２】
一般に、ＲＦＩＤ技術とは、無線周波数信号を用いて、小型半導体チップが内蔵されたタグ、ラベル、カードなどに保存されたデータを非接触で読み出す技術である。
このようなＲＦＩＤ技術を採用すると、無線周波数信号を用いて物品に取り付けられたタグから物品の情報及び周辺環境を認識して各物品の情報を収集、保存、加工、及び追跡することにより、物品に対する測位、遠隔処理、管理、及び物品間情報交換などの様々なサービスの提供が可能になる。
【０００３】
特に、最近、ＲＦＩＤ技術を用いて物品の在庫、入出庫、及び販売などを管理できるように物品管理棚にＲＦＩＤアンテナを設置し、それぞれの物品にタグを取り付けてそれぞれの物品の現況をリアルタイムで把握することにより、多量の物品の管理も効率的にできるようになった。
【０００４】
前述したような技術を用いたＲＦＩＤアンテナ及びＲＦＩＤタグを利用した物品管理装置が、特許文献１に開示されている。以下、図９及び図１０を参照して特許文献１に開示されているＲＦＩＤアンテナ及びＲＦＩＤタグを利用した物品管理装置の構成について説明する。
【０００５】
図９は、従来のＲＦＩＤアンテナを用いた物品管理装置の斜視図である。
図９に示すように、従来の物品管理装置１には、棚用板１１の内部に形成されたＲＦＩＤアンテナ１５と、ＲＦＩＤアンテナ１５と電気信号などの情報を交換し、インタフェース回路（図示せず）を利用して外部コンピュータ（図示せず）に接続される切替器１６とを含む。
【０００６】
また、棚用板１１の上には様々な形態の物品１７が混在しており、このような物品１７には、ＲＦＩＤタグ１８がそれぞれ取り付けられる。ＲＦＩＤタグ１８は、ループ状の小型アンテナと情報が記録されるメモリとを備え、ループ状のアンテナの中央には、電子チップが形成される。
【０００７】
図１０は、従来の棚用ＲＦＩＤアンテナの細部構造を示す図である。
図１０に示すように、従来のＲＦＩＤアンテナ１５は、２つのループアンテナ２３、２４が積層された構造を有する。ＲＦＩＤアンテナ１５は、上部の第１ループアンテナ２３又は下部の第２ループアンテナ２４のいずれか一方が先に動作し、その後、他方が動作するシーケンス動作方式で運用される。従って、１つの棚に形成されたループアンテナ２３、２４を動作させるためには、１つ又は２つのＲＦＩＤリーダ（図示せず）に各ループアンテナ２３、２４の順次動作のためのスイッチング回路を備える必要がある。
【０００８】
しかしながら、前述したような従来の棚用ループアンテナ２３、２４の放射体は、１３．５６ＭＨｚのような高周波（ＨＦ）帯域（３ＭＨｚ〜３０ＭＨｚ）以下でのみ利用できる。その理由は、１３．５６ＭＨｚループアンテナの放射体の全長は空気中の電波の波長（１λ0＝２２ｍ）に比べて非常に短いため、放射体線路上で移相が少なくなり、これにより、放射体表面電流の強度及び方向が一定になって電波が相殺されるヌルポイント（Null point）の出現が少ないからである。
従って、従来は、このようにＨＦ帯域（３ＭＨｚ〜３０ＭＨｚ）を利用したアンテナが主に利用されていた。
【０００９】
しかしながら、最近は、極超短波（ＵＨＦ）帯域（３００ＭＨｚ〜３ＧＨｚ）を利用したＲＦＩＤ応用分野に次第に市場が拡大している。
ＵＨＦ帯域のＲＦＩＤシステムは、有効識別距離５ｍ以上の遠距離でもタグ認識が可能であり、また、５０ｃｍ未満の近距離でもＨＦ帯域に比べて非常に高い認識速度及び認識率を有するという利点がある。
【００１０】
このようなＵＨＦ帯域のＲＦＩＤシステムにおける遠隔場（Farfield）は、主に電場で形成されて遠距離でのタグ認識が可能であるが、後方散乱により動作するため、周囲の環境に敏感であるという短所がある。
【００１１】
これに対して、ＵＨＦ帯域のＲＦＩＤシステムにおける近接場（Nearfield）は、主に磁場で形成され、カップリングにより動作するので、水又は金属体などの高い誘電率を有する物質による影響がほとんどないため、ＲＦＩＤリーダの認識率が高くて認識速度も速いという利点がある。
【先行技術文献】
【特許文献】
【００１２】
【特許文献１】特開２００７−７０１１２号公報
【発明の概要】
【発明が解決しようとする課題】
【００１３】
しかしながら、ＵＨＦ帯域のアンテナは、動作周波数が高くて電波の波長が短いため、その物理的な特性上、ＨＦ帯域のアンテナに比べて近接場で信号が認識されないヌルポイントが頻繁に発生するという問題がある。
【００１４】
また、ＵＨＦ帯域のアンテナの場合、タグを取り付けた物品の数が多くなると、リーダアンテナの動作周波数がシフトするため、ＲＦＩＤリーダアンテナが物品の数量変化の影響を受けるという問題がある。
【００１５】
本発明はこのような問題を解決するためになされたものであり、その目的は、ＵＨＦ帯域の周波数を利用しながらも近接場でヌルポイントが発生しないＲＦＩＤアンテナ及びそれを利用した物品管理装置を提供することにある。
【００１６】
また、本発明の他の目的は、物品の数量が多い場合や密集している場合も、ＵＨＦ帯域の周波数を利用してＲＦＩＤタグの情報を正確に取得できるＲＦＩＤアンテナ、及びそれにより物品の現況を容易に把握できる物品管理装置を提供することにある。
【課題を解決するための手段】
【００１７】
このような目的を達成するための本発明の一実施形態による無線個体識別（ＲＦＩＤ）リーダアンテナは、一端部がＲＦＩＤリーダに接続され、他端部が接地される給電部と、前記給電部と離隔して配置されて所定帯域の信号を送受信する放射電極とを含む。
【００１８】
前記給電部及び前記放射電極は、誘電体の内部又は誘電体の表面に形成される。
前記給電部及び前記放射電極は、電磁気的にカップリングされて信号を送受信する。
前記無線個体識別（ＲＦＩＤ）リーダアンテナは、前記給電部の前記他端部と接地間に接続される負荷抵抗をさらに含む。
【００１９】
前記給電部は、前記放射電極の上部に配置される。
前記無線個体識別（ＲＦＩＤ）リーダアンテナは、前記給電部の前記一端部にアンテナポートをさらに含む。
前記無線個体識別（ＲＦＩＤ）リーダアンテナは、前記給電部から所定距離離隔して配列される補助電極をさらに含む。
【００２０】
前記無線個体識別（ＲＦＩＤ）リーダアンテナは、前記補助電極の一端部と接地間に接続され、インピーダンスマッチングを調節するための補助抵抗をさらに含む。
前記補助電極は、前記給電部と同一平面上で平行に配列される。
前記補助電極は、導電材料を含む直線状の給電線又はストリップラインで形成される。
【００２１】
前記放射電極は、一端で前記給電部と垂直に整列され、他端で前記補助電極と垂直に整列される。
ここで、前記所定帯域は、ＵＨＦ帯域であることが好ましい。
前記放射電極は、メアンダ形状（meander）に形成される。
前記給電部は、物品を載せるための棚に形成される。
【００２２】
このような目的を達成するための本発明の一実施形態による物品管理装置は、物品を載せるための少なくとも１つの棚と、前記棚に形成され、一端がＲＦＩＤリーダに接続されて他端は接地される給電部、及び前記給電部と所定距離離隔して前記物品に取り付けられたＲＦＩＤタグと所定帯域の信号を送受信するための導電性放射電極を有する少なくとも１つのＲＦＩＤリーダアンテナと、前記ＲＦＩＤリーダアンテナを介して前記物品に取り付けられたＲＦＩＤタグから情報を受信するＲＦＩＤリーダとを含む。
【００２３】
前記放射電極は、前記給電部から所定距離離隔して電磁気的カップリングによりＵＨＦ帯域の信号を送受信する。
前記物品管理装置は、複数のＲＦＩＤリーダアンテナを備え、前記複数のＲＦＩＤリーダアンテナを前記ＲＦＩＤリーダに順次接続するためにスイッチングするスイッチ部をさらに含む。
【００２４】
前記ＲＦＩＤリーダアンテナは、前記給電部の他端と接地間に接続され、前記無線個体識別（ＲＦＩＤ）リーダから供給された電流が前記給電部の全体に円滑に流れるようにするための負荷抵抗と、前記給電部と同一平面上で所定距離離隔して配列されて前記給電部とのカップリングにより前記所定帯域の信号を処理するための補助電極と、前記補助電極と前記接地間に接続されてインピーダンスマッチングを調節するための補助抵抗とをさらに含む。
前記ＲＦＩＤリーダアンテナは、ＵＨＦ帯域の信号を送受信する。
【発明の効果】
【００２５】
本発明のＲＦＩＤリーダアンテナは、電流が直接給電される給電線との電磁気的カップリングにより給電される放射電極を備えるので、ＵＨＦ帯域の周波数を利用しながらも近接場でヌルポイントが発生しないという利点がある。
【００２６】
また、本発明のＲＦＩＤリーダアンテナは、前記ＲＦＩＤアンテナ上に多くの物品が密集して置かれている場合も、ＵＨＦ帯域の周波数を利用して周波数を変動させることなくＲＦＩＤタグの情報を正確に取得できるという利点がある。
【００２７】
また、本発明による物品管理装置は、前記ＲＦＩＤリーダアンテナを備えてＵＨＦ帯域の周波数を利用することにより近距離での物体の認識速度及び認識率が著しく向上するだけでなく、ヌルポイントを除去して広いインピーダンス帯域幅を得ることができるため、物品の数量に関係なく物品の現況を正確に管理できるという利点がある。
【図面の簡単な説明】
【００２８】
【図１】本発明による無線個体識別（ＲＦＩＤ）リーダアンテナの斜視図である。
【図２】本発明による無線個体識別（ＲＦＩＤ）リーダアンテナの上面図である。
【図３】本発明による無線個体識別（ＲＦＩＤ）リーダアンテナの側面図である。
【図４】本発明による給電部の周辺に形成される磁場を示す図である。
【図５Ａ】本発明による給電部の磁場と隣接するＲＦＩＤタグに形成される磁場との相関関係を示す図である。
【図５Ｂ】本発明による給電部の磁場と隣接するＲＦＩＤタグに形成される磁場との相関関係を示す図である。
【図６Ａ】本発明による給電部だけのインピーダンス帯域幅とＲＦＩＤアンテナ全体のインピーダンス帯域幅を比較する図である。
【図６Ｂ】本発明による給電部だけのインピーダンス帯域幅とＲＦＩＤアンテナ全体のインピーダンス帯域幅を比較する図である。
【図７】本発明の実施形態による無線個体識別（ＲＦＩＤ）リーダアンテナを用いた物品管理装置の斜視図である。
【図８】本発明の実施形態による無線個体識別（ＲＦＩＤ）リーダアンテナを用いた物品管理装置の構成図である。
【図９】従来のＲＦＩＤアンテナを用いた物品管理装置の斜視図である。
【図１０】従来の棚用ＲＦＩＤアンテナの細部構造を示す図である。
【発明を実施するための形態】
【００２９】
以下、本発明による無線自動認識リーダアンテナ及びそれを利用した物品管理装置の好適な実施形態を図１〜図８を参照して詳細に説明する。
図１は、本発明による無線個体識別（ＲＦＩＤ）リーダアンテナ３００の斜視図であり、図２は、本発明によるＲＦＩＤリーダアンテナ３００の上面図であり、図３は、本発明によるＲＦＩＤリーダアンテナ３００の側面図である。
【００３０】
図１〜図３に示すように、本発明によるＲＦＩＤリーダアンテナ３００は、誘電体基板３０１の下部に形成された給電部３１０と、給電部３１０の上部に形成された放射電極３２０とを含む。ここで、給電部３１０及び放射電極３２０は、導電材料で形成され、誘電体基板３０１の内部又は表面に形成される。
【００３１】
給電部３１０は、直線状給電線又はストリップラインからなり、給電部３１０の一端部には電流が供給されるアンテナポート３１１が形成され、他端部は負荷抵抗３１２に接続される。また、負荷抵抗３１２は、接地点ＧＮＤに接続される。
【００３２】
放射電極３２０は、給電部３１０と直交方向に配列される複数の第１電極３２１と、給電部３１０と平行方向に配列される複数の第２電極３２２とを含み、給電部３１０から垂直方向に所定距離離隔して給電部３１０の上部に形成される。さらに、放射電極３２０は、第１電極３２１及び第２電極３２２のそれぞれの端部が１つずつ交互に接続されることにより、図１〜図３に示すように、全体的にメアンダ形状に形成される。また、誘電体基板３０１の誘電体の種類又はサイズなどにより、第１電極３２１と第２電極３２２間の接続角度、隣接する２つの第１電極３２１間の距離又は隣接する２つの第２電極３２２間の距離、及び前記第１電極３２１と第２電極３２２の形状は変更できる。放射電極３２０が給電部３１０との電磁気的カップリングにより給電されることにより、ＲＦＩＤリーダアンテナ３００は、ＵＨＦ帯域（３００ＭＨｚ〜３ＧＨｚ）の周波数を処理することができる。
【００３３】
また、本発明においては、給電部３１０と同一平面上に給電部３１０と水平方向に所定距離離隔して配列される補助電極３３０がさらに形成される。補助電極３３０は、給電部３１０と同一平面上に平行に配列され、導電材料を利用した直線状給電線又はストリップラインから形成される。補助電極３３０が給電部３１０との電磁気的カップリングにより給電されることにより、ＲＦＩＤリーダアンテナ３００は、ＵＨＦ帯域（３００ＭＨｚ〜３ＧＨｚ）の周波数を処理することができる。
【００３４】
また、補助電極３３０の一端は開放され、他端は補助抵抗３３２に接続される。また、補助抵抗３３２は、接地点ＧＮＤに接続される。補助抵抗３３２は、アンテナ３００のインピーダンスマッチングのために利用される。
【００３５】
図４は、本発明による給電部の周辺に形成される磁場を示す図であり、図５は、本発明による給電部の磁場と隣接するＲＦＩＤタグに形成される磁場との相関関係を示す図である。
以下、図４、図５Ａ、及び図５Ｂを参照して本発明による無線個体識別（ＲＦＩＤ）リーダアンテナ３００の動作について説明する。
【００３６】
まず、ＲＦＩＤリーダ（図示せず）から給電部３１０のアンテナポート３１１にＵＨＦ帯域の周波数を有する信号が入力される。これによって、アンテナポート３１１に入力された信号が給電部３１０の全体に印加され、図４に示すように、給電部３１０の周辺に磁場４１０が発生する。磁場４１０は、アンペアの周回積分の法則によって電流の流れる方向３１３に応じて給電部３１０の周辺で時計回り４１１に形成される。
【００３７】
このように、給電部３１０の周辺に発生した磁場４１０は、隣接する物品４００に取り付けられたＲＦＩＤタグ４３０に印加される。これにより、前記ＲＦＩＤリーダ（図示せず）は、ＲＦＩＤリーダアンテナ３００を介してＲＦＩＤタグ４３０と近距離で非接触無線通信を行うことができる。図４において、番号４３１は、ＲＦＩＤタグ４３０のタグアンテナであり、番号４３２は、ＲＦＩＤタグ４３０内に備えられて情報を保存する電子チップである。
【００３８】
図５Ａは、本発明による給電部３１０のみが存在する場合、給電部３１０にＵＨＦ帯域の周波数を有する電流信号を印加したとき、給電部３１０の周辺に形成される磁場を示す図である。
【００３９】
図５Ａに示すように、給電部３１０の物理的長さが長い場合、印加される信号の波長の長さによってλg／２（ここで、λgは有効波長を示す）間隔でヌルポイントが発生する。このようなヌルポイントでは、ＲＦＩＤタグ４３０が給電部３１０に隣接して位置していてもＲＦＩＤリーダ（図示せず）がＲＦＩＤタグ４３０を認識できないことがある。
【００４０】
図５Ｂは、本発明による給電部３１０、放射電極３２０、及び補助電極３３０が存在する場合、給電部３１０にＵＨＦ帯域の周波数を有する電流信号を印加したとき、給電部３１０、放射電極３２０、及び補助電極３３０の周辺に形成される磁場を示す図である。
図５Ｂに示すように、本発明によれば、給電部３１０の上部に放射電極３２０が存在し、また、給電部３１０の側面に平行に補助電極３３０が存在する場合、放射電極３２０及び補助電極３３０による寄生容量の影響により、図５Ａに比べると、ＲＦＩＤリーダアンテナ３００の周辺に形成されるヌルポイントが除去されていることが分かる。
【００４１】
すなわち、本発明によれば、給電部３１０と放射電極３２０間の電磁気的カップリング、又は給電部３１０と補助電極３３０間の電磁気的カップリングにより磁場のベクトル成分を変化させてヌルポイントを減少又は除去することができる。
【００４２】
特に、本発明によれば、給電部３１０と放射電極３２０間の電磁気的カップリングによりヌルポイントを除去することができ、給電部３１０及び放射電極３２０にさらに補助電極３３０が形成される場合、前記ヌルポイントを一層減少させることができる。
【００４３】
図６は、本発明による給電部のみのインピーダンス帯域幅とＲＦＩＤアンテナ全体のインピーダンス帯域幅を比較する図である。
図６Ａは、本発明による給電部３１０のみが存在する場合のインピーダンス帯域幅を示す。図６Ａに示すように、給電部３１０のみが存在する場合は、狭い帯域幅６１０を示すことが分かる。
これに対して、図６Ｂは、本発明による給電部３１０、放射電極３２０、及び補助電極３３０が全て存在する場合のインピーダンス帯域幅を示す。図６Ｂに示すように、本発明により、給電部３１０だけでなく、放射電極３２０及び補助電極３３０が全て形成された場合のインピーダンス帯域幅６２０は、給電部３１０のみが存在する場合のインピーダンス帯域幅６１０に比べて約３倍に増加することが分かる。
【００４４】
このように、本発明によるＲＦＩＤリーダアンテナ３００は、給電部３１０と放射電極３２０間の電磁気的カップリング、及び給電部３１０と補助電極３３０間の電磁気的カップリングによりインピーダンス帯域幅が増加することにより、前記ＲＦＩＤリーダアンテナ３００の上部に隣接して位置する物体の誘電率に鈍感な特性を有する。これにより、本発明によるＲＦＩＤリーダアンテナ３００及びそれを利用したＲＦＩＤリーダ（図示せず）は、ＲＦＩＤリーダアンテナ３００上に置かれた物体及び物体に取り付けられたタグの数量に関係なく一定のタグ認識率を得ることができる。
【００４５】
図７は、本発明の実施形態による棚用無線自動認識（ＲＦＩＤ）アンテナを用いた物品管理装置の斜視図である。図８は、本発明の実施形態による棚用無線自動認識（ＲＦＩＤ）アンテナを用いた物品管理装置の構成図である。
【００４６】
図７及び図８を参照すると、本発明による物品管理装置７００は、物品４００を載せるための棚７１１と、棚７１１に形成されたＲＦＩＤリーダアンテナ３００と、前記ＲＦＩＤリーダアンテナ３００を介して物品４００に取り付けられたＲＦＩＤタグ４３０から情報を読み出すＲＦＩＤリーダ７２０とを含む。
【００４７】
棚７１１は、所定の誘電率を有する誘電体から形成され、内部又は上面には本発明によるＲＦＩＤリーダアンテナ３００が形成される。さらに、棚７１１は、本発明による誘電体基板３０１として利用でき、この場合、棚７１１の内部又は上面に本発明による給電部３１０、放射電極３２０、補助電極３３０、負荷抵抗３１２、及び補助抵抗３３２などが形成される。
【００４８】
物品保管箱７１０は、本棚やキャビネットなどのように棚７１１により複数の空間に区分され、それぞれの空間には物品を保管できる。棚７１１は、多様な形態の物品保管箱７１０に設置される。例えば、図７においては、物品保管箱７１０として本棚を示し、物品保管箱７１０に保管された物品４００としては複数の書籍を示す。
【００４９】
ＲＦＩＤリーダアンテナ３００は、図１〜図６を参照して説明したように、給電部３１０、放射電極３２０、補助電極３３０、負荷抵抗３１２、及び補助抵抗３３２などを含み、電磁気的カップリングにより近距離でＵＨＦ帯域の周波数を利用してＲＦＩＤタグ４３０から情報を取得でき、また広いインピーダンス帯域幅を有しながらもヌルポイントを除去することができる。これにより、ＲＦＩＤリーダアンテナ３００は、アンテナ３００上に載せられた物体及び物体に取り付けられたタグの数量に関係なく一定のタグ認識率を得ることができる。
【００５０】
ＲＦＩＤリーダ７２０は、アンテナケーブル７３０を介してＲＦＩＤリーダアンテナ３００のアンテナポート３１１に接続され、ＲＦＩＤリーダアンテナ３００を介して物品４００に取り付けられたＲＦＩＤタグ４３０から情報を受信して外部サーバ７５０に送信することにより、サーバ７５０を介して総合的な物品の現況を管理できるようにする。
また、本発明による物品管理装置７００には複数のＲＦＩＤリーダアンテナ３００と１つのＲＦＩＤリーダ７２０間を接続するスイッチ部７４０が形成される。スイッチ部７４０は、物品保管箱７１０に複数の棚７１１が形成され、これにより複数のＲＦＩＤリーダアンテナ３００が備えられた場合は、複数のＲＦＩＤリーダアンテナ３００がＲＦＩＤリーダ７２０に順次接続されるようにスイッチングする。
【００５１】
このような物品管理装置７００によると、本又は書類が密集していたり、多数の物品が積載されている図書館、書類保管所、物流倉庫、及び資材管理倉庫などにおいて、ＵＨＦ帯域の周波数を利用して近距離でのＲＦＩＤタグの認識速度及び認識率を向上させるだけでなく、物品の数量に関係なくそれぞれの物品の現況を正確に管理できる。
【００５２】
前述したように、本発明の実施形態を図面を参照して詳細に説明してきたが、本発明の思想と範囲は、前記実施形態に限定されるものではなく、添付された特許請求の範囲により決定される本発明の範囲内で多様な変形が可能であるということは当業者にとって明らかである。
【００５３】
本発明の技術思想は、前記好ましい実施形態によって具体的に記述されたが、前記実施形態は、その説明のためのものであり、それに限定されるものではない。また、本発明の技術分野における通常の知識を有する者であれば本発明の技術思想の範囲で多様な実施形態が可能であることを理解できるであろう。
【図１】
0005080508.tif 000002
【図２】
0005080508.tif 000003
【図３】
0005080508.tif 000004
【図６Ａ】
0005080508.tif 000005
【図６Ｂ】
0005080508.tif 000006
【図７】
0005080508.tif 000007
【図８】
0005080508.tif 000008
【図９】
0005080508.tif 000009
【図１０】
0005080508.tif 000010
【図４】
0005080508.tif 000011
【図５Ａ】
0005080508.tif 000012
【図５Ｂ】
0005080508.tif 000013